(57)【要約】【課題】ヒューズエレメントと絶縁ハウジングとを容易に組み立てることができ、安価に製造できるヒューズを提供する。【解決手段】ヒューズ１１は、可溶部２１を介して接続される一対の展開端子部のそれぞれの外側展開部が内側展開部に折り重ねられて一対の平板端子部１９とされたヒューズエレメント１３と、平板端子部１９の表裏面それぞれから外側に突出して折り曲げ形成されたロック片（４１、４３、４５、４７）と、各平板端子部１９の内側縁６７及び上端縁６９及び可溶部２１を覆うようにヒューズエレメント１３を表裏面側から挟むアッパーハウジング１５及びロアハウジング１７と、アッパーハウジング１５及びロアハウジング１７のそれぞれに形成され、ロック片を受け入れるロック係止部（４９、５１、５３、５５）と、ロック片に形成されたロック爪５７と、を備える。【選択図】図２
2014035880.tif 000002
【特許請求の範囲】
【請求項１】
可溶部を介して接続される一対の展開端子部のそれぞれの外側展開部が内側展開部に折り重ねられて一対の平板端子部とされたヒューズエレメントと、
それぞれの前記平板端子部となる前記外側展開部及び前記内側展開部に形成され、折り重ねられて一体となった前記平板端子部の表裏面それぞれから外側に突出して折り曲げ形成されたロック片と、
前記各平板端子部の内側縁及び上端縁及び前記可溶部を覆うように前記ヒューズエレメントを表裏面側からから挟む一対の絶縁ハウジングと、
前記一対の絶縁ハウジングのそれぞれに形成され、前記ロック片を受け入れるロック係止部と、
前記ロック片に形成され、前記ロック係止部に係止されて前記ロック係止部からの前記ロック片の抜脱を規制するロック爪と、
を備えることを特徴とするヒューズ。
【請求項２】
前記ロック片が、前記平板端子部の挿入方向先端と反対端の端子部上縁に設けられる上部ロック片と、前記外側展開部の外側下部及び前記内側展開部の内側下部に形成されることで前記平板端子部の内側縁部に設けられる下部ロック片と、を備え、
前記ロック係止部が、前記上部ロック片を受け入れる上部ロック係止部と、前記下部ロック片を受け入れる下部ロック係止部と、を備えることを特徴とする請求項１に記載のヒューズ。
【発明の詳細な説明】
【技術分野】
【０００１】
本発明は、可溶部を介して接続される一対の平板端子部を備えたヒューズエレメントが絶縁ハウジングによって覆われるヒューズに関する。
【背景技術】
【０００２】
可溶部を介して接続される一対の平板端子部を備えたヒューズエレメントが絶縁ハウジングによって覆われるヒューズが、例えば特許文献１に開示されている。
図９に示すように、このヒューズ５０１は、一対の平行な平板端子部５０３の内側縁５０５の間に可溶部５０７が設けられたヒューズエレメント５０９と、平板端子部５０３の内側縁５０５及び上端縁５１１及び可溶部５０７を覆う略Ｔ字状の絶縁ハウジング５１３とを備える。可溶部５０７は、平板端子部５０３の内側縁５０５との連結箇所から下端縁側に向かって延出された後、上端縁側に向かって屈曲形成される一対の延在部５１５と、これら延在部５１５の上端を相互に連結する連結部５１７とから成る。絶縁ハウジング５１３は、平板端子部５０３の内側縁５０５に沿って上端縁側から下端縁側に向かって延設されることにより、可溶部５０７の延在部５１５と平板端子部５０３の内側縁５０５との間を仕切る絶縁隔壁５１９を備えている。
【０００３】
ヒューズエレメント５０９は、ヒューズボックス等の接続相手側の仕様に合わせた板厚とされており、可溶部５０７は切削若しくは鍛造等による減厚塑性加工にて材料を薄くしている。また、ヒューズエレメント５０９は、絶縁ハウジング５１３内に装入された後、貫通孔が絶縁ハウジング５１３の丸穴部５２１にて熱溶着されることにより、絶縁ハウジング５１３と固定されている。
【０００４】
上記ヒューズ５０１によれば、可溶部５０７の延在部５１５が下端縁５２３に向かって延出されているので、従来に比べて絶縁隔壁５１９との間隔が広くなり、可溶部５０７の発熱による影響を受け難くできる。絶縁隔壁５１９は、先端部を延在部５１５の内側縁５０５との連結箇所まで延設することができ、絶縁隔壁５１９による平板端子部５０３の間の沿面距離を延長して絶縁性向上を図ると共に、ヒューズエレメント５０９の保持強度の向上を図ることができる。
【先行技術文献】
【特許文献】
【０００５】
【特許文献１】特開２００３−３１７６０４号公報
【発明の概要】
【発明が解決しようとする課題】
【０００６】
しかしながら、上記ヒューズ５０１は、絶縁ハウジング５１３をヒューズエレメント５０９に固定するために熱溶着しているので、熱溶着による後加工が必要となり、ヒューズエレメント５０９と絶縁ハウジング５１３とを容易に組み立てることができない。また、熱溶着機が必要となり、設備費用が発生するため、製造コスト増大の要因となっている。更に、上記ヒューズ５０１の可溶部５０７は、平板端子部５０３に必要な板厚の厚い材料を切削若しくは鍛造等による減厚塑性加工にて薄くしているため、これによっても製造コストが増大するという問題があった。
【０００７】
本発明は上記状況に鑑みてなされたもので、その目的は、ヒューズエレメントと絶縁ハウジングとを容易に組み立てることができ、安価に製造できるヒューズを提供することにある。
【課題を解決するための手段】
【０００８】
本発明に係る上記目的は、下記構成により達成される。
（１）  可溶部を介して接続される一対の展開端子部のそれぞれの外側展開部が内側展開部に折り重ねられて一対の平板端子部とされたヒューズエレメントと、それぞれの前記平板端子部となる前記外側展開部及び前記内側展開部に形成され、折り重ねられて一体となった前記平板端子部の表裏面それぞれから外側に突出して折り曲げ形成されたロック片と、前記各平板端子部の内側縁及び上端縁及び前記可溶部を覆うように前記ヒューズエレメントを表裏面側から挟む一対の絶縁ハウジングと、前記一対の絶縁ハウジングのそれぞれに形成され、前記ロック片を受け入れるロック係止部と、前記ロック片に形成され、前記ロック係止部に係止されて前記ロック係止部からの前記ロック片の抜脱を規制するロック爪と、を備えることを特徴とするヒューズ。
【０００９】
上記（１）の構成のヒューズによれば、ヒューズエレメントには、ロック爪を有するロック片が形成されており、ヒューズエレメントが表裏側から一対の絶縁ハウジングによって挟まれると、ロック片が表裏側の絶縁ハウジングのロック係止部に挿入されるとともに、ロック片がロック係止部に係止される。これにより、表裏一対の絶縁ハウジングが、ヒューズエレメントのロック爪によって、ヒューズエレメントに挟着される。その結果、絶縁ハウジングにヒューズエレメントを熱溶着による後加工で固定する必要がなくなる。また、可溶部を介して接続される一対の展開端子部の外側展開部が内側展開部に折り重ねられて平板端子部が形成されるので、プレス加工により容易に成形できる。ロック片及びロック爪もその際に同時に成形される。その結果、熱溶着、切削若しくは減厚加工が不要となるので、製造コストの低減が可能となる。
【００１０】
（２）  （１）の構成のヒューズであって、前記ロック片が、前記平板端子部の挿入方向先端と反対端の端子部上縁に設けられる上部ロック片と、前記外側展開部の外側下部及び前記内側展開部の内側下部に形成されることで前記平板端子部の内側縁部に設けられる下部ロック片と、を備え、前記ロック係止部が、前記上部ロック片を受け入れる上部ロック係止部と、前記下部ロック片を受け入れる下部ロック係止部と、を備えることを特徴とするヒューズ。
【００１１】
上記（２）の構成のヒューズによれば、左右それぞれの端子部上縁と内側縁部に上部ロック片と下部ロック片が設けられることで、ヒューズエレメントの片面で４つのロック片が設けられる。その結果、ヒューズエレメントの両面では、８つのロック片が設けられることになり、８つのロック片が表裏側の絶縁ハウジングのロック係止部に係止されて、一対の絶縁ハウジングが確実にヒューズエレメントに挟着される。また、これらロック片は、ヒューズエレメントの外側に突出して折り曲げられ、絶縁ハウジングのロック係止部に挿入されるので、ヒューズが着脱される方向のヒューズエレメントと絶縁ハウジングとの相対移動が確実に規制される。
【発明の効果】
【００１２】
本発明に係るヒューズによれば、ヒューズエレメントと絶縁ハウジングとを容易に組み立てることができ、安価に製造できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】本発明の一実施形態に係るヒューズの全体斜視図である。
【図２】図１に示したヒューズの分解斜視図である。
【図３】（ａ）は図２に示したヒューズエレメントを上方より見た斜視図、（ｂ）は図２に示したヒューズエレメントを下方より見た斜視図である。
【図４】図３に示したヒューズエレメントの折り曲げ前の展開平面図である。
【図５】アッパーハウジングの正面図である。
【図６】（ａ）はヒューズエレメントとロアハウジングの組付前の分解斜視図、（ｂ）は組付直前の分解斜視図、（ｃ）は組付後の斜視図である。
【図７】（ａ）は図１に示したヒューズの正面図、（ｂ）は（ａ）に示したヒューズのＡ−Ａ断面図である。
【図８】図７（ａ）に示したヒューズのＢ−Ｂ断面図である。
【図９】（ａ）は従来のヒューズの全体斜視図、（ｂ）は（ａ）に示したヒューズの断面図である。
【発明を実施するための形態】
【００１５】
以下、本発明に係る実施形態を図面を参照して説明する。
本実施形態に係るヒューズ１１は、図１及び図２に示すように、ヒューズエレメント１３と、一対の絶縁ハウジングであるアッパーハウジング１５及びロアハウジング１７とに大別して構成される。
【００１６】
ヒューズエレメント１３は、導電性金属素板を材料にしてプレス加工により型抜きされた後、曲げ加工によって図３に示す形状に成形される。成形された後のヒューズエレメント１３は、一対の平板端子部１９が可溶部２１を介して接続される。可溶部２１は、略円形状に形成され直径方向両端側から延出する一対の接続バー２３によって左右の平板端子部１９に接続されている。
【００１７】
ヒューズエレメント１３は、図４に示す外形形状に打ち抜かれた展開素板を折り曲げ加工して得られる。展開素板は、中央の可溶部２１を挟んで左右側に接続バー２３と、この接続バー２３に接続される展開端子部２５とが形成される。それぞれの展開端子部２５は、外側が外側展開部２７となり、接続バー２３に接続される内側が内側展開部２９となる。ヒューズエレメント１３は、可溶部２１を介して一対の展開端子部２５のそれぞれの外側展開部２７が内側展開部２９に二重に折り重ねられるように密着曲げされて、図３に示した一対の平板端子部１９となる。
【００１８】
更に、一対の平板端子部１９には、複数のロック片が設けられている。即ち、図４に示すように、ロック片は、それぞれの平板端子部１９となる外側展開部２７及び内側展開部２９に形成され、折り重ねられて一体となった平板端子部１９の表裏面それぞれから外側に突出して折り曲げ形成される。
【００１９】
本実施形態に係るロック片は、平板端子部１９の挿入方向先端３１と反対端の端子部上縁３３に設けられる上部ロック片と（図３参照）、図４に示す外側展開部２７の外側下部３５及び内側展開部２９の内側下部３７に形成されることで平板端子部１９の内側縁部３９（図３参照）に設けられる下部ロック片と、を備える。
本実施形態のヒューズ１１において、ヒューズエレメント１３の表面側にはアッパーハウジング１５が組み付けられ、ヒューズエレメント１３の背面側にはロアハウジング１７が組み付けられる（図２参照）。
【００２０】
従って、図３に示すように、アッパーハウジング１５が取り付けられるヒューズエレメント１３の表面側から突出する一対の上部ロック片は、一対のアッパー側上部ロック片４１となる。また、ヒューズエレメント１３の表面側から突出する一対の下部ロック片は、一対のアッパー側下部ロック片４３となる。
一方、ロアハウジング１７が取り付けられるヒューズエレメント１３の背面側から突出する一対の上部ロック片は、一対のロア側上部ロック片４５となる。また、ヒューズエレメント１３の背面側から突出する一対の下部ロック片は、一対のロア側下部ロック片４７となる。
【００２１】
これらロック片のそれぞれは、アッパーハウジング１５及びロアハウジング１７に形成されたロック係止部に挿入される。ロック係止部は、アッパーハウジング１５に形成されるアッパー側上部ロック係止部４９及びアッパー側下部ロック係止部５１（図５参照）と、ロアハウジング１７に形成されるロア側上部ロック係止部５３及びロア側下部ロック係止部５５（図２参照）とで構成される。
【００２２】
これらそれぞれのロック片には、対応するロック係止部に係止されてロック係止部からのロック片の抜脱を規制するロック爪５７が形成されている。
【００２３】
アッパーハウジング１５とロアハウジング１７は、所定の色を有する半透明の絶縁合成樹脂によって一体成形され、各平板端子部１９の内側縁６７及び上端縁６９及び可溶部２１を覆う正面視略Ｔ字形状とされる。一対のアッパーハウジング１５及びロアハウジング１７は、一対の平板端子部１９を表裏面側から挟んで、それぞれに設けられたロック係止部を、ヒューズエレメント１３のロック片に係止して、ヒューズエレメント１３に挟着される。
【００２４】
アッパーハウジング１５及びロアハウジング１７は、図２に示すように、中央部にヒューズ収容空間５９が形成される。ヒューズ収容空間５９には、ヒューズエレメント１３に形成された可溶部２１が配置される。半透明のアッパーハウジング１５及びロアハウジング１７に覆われた可溶部２１は、接続・溶断状況が外部から容易に視認可能となっている。
【００２５】
図１に示すように、アッパーハウジング１５及びロアハウジング１７の絶縁ハウジング上部６３は、治具係合用段部６５を有する。治具係合用段部６５は、不図示のヒューズ装着部に装着されたヒューズ１１を取り外す際、ヒューズ抜取り治具（図示しない）が係合する部分となる。
【００２６】
本実施形態のヒューズ１１は、可溶部２１と共に各平板端子部１９の内側縁６７及び上端縁６９がアッパーハウジング１５及びロアハウジング１７で覆われる。これにより、ヒューズエレメント１３は、これらアッパーハウジング１５及びロアハウジング１７から外方に大きく突出する部分が少なくなり、ヒューズ１１自体が正面視略矩形状となる。このようにしてアッパーハウジング１５及びロアハウジング１７から突出する平板端子部１９が少なくされたヒューズエレメント１３は、搬送時等に複数のヒューズ１１同士が接触する様な場合であっても互いに接触し難く、他の部材との接触による外力も受け難いので、平板端子部１９自体が傷ついたり、可溶部２１に外力を加えて変形或いは破損が生じたりすることが抑止される。
【００２７】
次に、上記構成を有するヒューズ１１の作用を説明する。
本実施形態のヒューズ１１によれば、ヒューズエレメント１３には、ロック爪５７を有する複数のロック片（アッパー側上部ロック片４１、アッパー側下部ロック片４３、ロア側上部ロック片４５、ロア側下部ロック片４７）が形成され、ヒューズエレメント１３が表裏側から一対のアッパーハウジング１５及びロアハウジング１７によって挟まれると、上記ロック片が表裏側のアッパーハウジング１５及びロアハウジング１７の複数のロック係止部（アッパー側上部ロック係止部４９、アッパー側下部ロック係止部５１、ロア側上部ロック係止部５３、ロア側下部ロック係止部５５）に挿入されるとともに、各ロック片が対応するロック係止部に係止される。これにより、表裏一対のアッパーハウジング１５及びロアハウジング１７が、ヒューズエレメント１３の複数のロック爪５７によって、ヒューズエレメント１３に挟着される。その結果、アッパーハウジング１５及びロアハウジング１７にヒューズエレメント１３を熱溶着による後加工で固定する必要がなくなる。
【００２８】
また、可溶部２１を介して接続される一対の展開端子部２５の外側展開部２７が内側展開部２９に折り重ねられて平板端子部１９が形成されるので、プレス加工により容易に成形できる。上記ロック片（アッパー側上部ロック片４１、アッパー側下部ロック片４３、ロア側上部ロック片４５、ロア側下部ロック片４７）及びロック爪５７もその際に同時に成形される。その結果、熱溶着、切削若しくは減厚加工が不要となるので、製造コストの低減が可能となる。
【００２９】
更に、本実施形態のヒューズ１１によれば、左右それぞれの端子部上縁３３と内側縁部３９に上部ロック片（アッパー側上部ロック片４１及びロア側上部ロック片４５）と下部ロック片（アッパー側下部ロック片４３及びロア側下部ロック片４７）が設けられることで、ヒューズエレメント１３の片面で４つのロック片が設けられる。その結果、ヒューズエレメント１３の両面では、８つのロック片（一対のアッパー側上部ロック片４１、一対のアッパー側下部ロック片４３、一対のロア側上部ロック片４５、一対のロア側下部ロック片４７）が設けられることになり、８つのロック片が表裏側のアッパーハウジング１５及びロアハウジング１７のロック係止部（一対のアッパー側上部ロック係止部４９、一対のアッパー側下部ロック係止部５１、一対のロア側上部ロック係止部５３、一対のロア側下部ロック係止部５５）に係止され、アッパーハウジング１５とロアハウジング１７とが確実にヒューズエレメント１３に挟着される。
【００３０】
また、これらロック片（アッパー側上部ロック片４１、アッパー側下部ロック片４３、ロア側上部ロック片４５、ロア側下部ロック片４７）は、ヒューズエレメント１３の外側に突出して折り曲げられ、アッパーハウジング１５及びロアハウジング１７のロック係止部（アッパー側上部ロック係止部４９、アッパー側下部ロック係止部５１、ロア側上部ロック係止部５３、ロア側下部ロック係止部５５）に挿入されるので、ヒューズ１１が着脱される方向のヒューズエレメント１３とアッパーハウジング１５及びロアハウジング１７との相対移動が確実に規制される。即ち、図８に示すように、上部ロック片（アッパー側上部ロック片４１及びロア側上部ロック片４５）によって、アッパーハウジング１５及びロアハウジング１７に対するヒューズエレメント１３の下方向の移動が規制され、下部ロック片（アッパー側下部ロック片４３及びロア側下部ロック片４７）によって、アッパーハウジング１５及びロアハウジング１７に対するヒューズエレメント１３の上方向への移動が規制される。
【００３１】
従って、本実施形態に係るヒューズ１１によれば、ヒューズエレメント１３とアッパーハウジング１５及びロアハウジング１７とを容易に組み立てることができ、安価に製造できる。
なお、本発明のヒューズは、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３２】
１１…ヒューズ
１３…ヒューズエレメント
１５…アッパーハウジング（絶縁ハウジング）
１７…ロアハウジング（絶縁ハウジング）
１９…平板端子部
２１…可溶部
２５…展開端子部
２７…外側展開部
２９…内側展開部
３１…挿入方向先端
３３…端子部上縁
３５…外側下部
３７…内側下部
３９…内側縁部
４１…アッパー側上部ロック片（ロック片）
４３…アッパー側下部ロック片（ロック片）
４５…ロア側上部ロック片（ロック片）
４７…ロア側下部ロック片（ロック片）
４９…アッパー側上部ロック係止部（ロック係止部）
５１…アッパー側下部ロック係止部（ロック係止部）
５３…ロア側上部ロック係止部（ロック係止部）
５５…ロア側下部ロック係止部（ロック係止部）
５７…ロック爪
６７…内側縁
６９…上端縁
【図１】
2014035880.tif 000003
【図２】
2014035880.tif 000004
【図３】
2014035880.tif 000005
【図４】
2014035880.tif 000006
【図５】
2014035880.tif 000007
【図６】
2014035880.tif 000008
【図７】
2014035880.tif 000009
【図８】
2014035880.tif 000010
【図９】
2014035880.tif 000011